(57)【要約】【課題】バリキャップダイオードのような容量値のばらつきの影響が少なく、かつ、インダクタによる損失も低減できる周波数可変アンテナを実現する。【解決手段】アンテナに接続される第１のインダクタ３と、第１のインダクタ３に直列に接続される第２のインダクタ４と、第１のインダクタ３に並列に接続され、選択的にＯＮ／ＯＦＦされる第１のスイッチング素子（ＰＩＮダイオード）５ａと、第２のインダクタ４に並列に接続され、選択的にＯＮ／ＯＦＦされる第２のスイッチング素子（ＰＩＮダイオード）５ｂとを備え、外部からの信号により第１および第２のスイッチング素子５ａ，５ｂをそれぞれ独立に制御する。【選択図】図１
2011035505.tif 000002
【特許請求の範囲】
【請求項１】
アンテナに接続される第１のインダクタと、
第１のインダクタに直列に接続される第２のインダクタと、
前記第１のインダクタに並列に接続され、選択的にＯＮ／ＯＦＦされる第１のスイッチング素子と、
前記第２のインダクタに並列に接続され、選択的にＯＮ／ＯＦＦされる第２のスイッチング素子と、
外部からの信号により前記第１および第２のスイッチング素子をそれぞれ独立に制御するバイアス手段と
を備えたアンテナ装置。
【請求項２】
前記アンテナは、放送信号の受信用アンテナである請求項１に記載のアンテナ装置。
【請求項３】
前記スイッチング素子はダイオードにより構成され、
前記バイアス手段は、前記ダイオードのアノード側に常時電圧Ｖａを印加するとともに、前記ダイオードのカソード側に選択的に電圧Ｖｂまたは接地電位を印加し、Ｖｂ＞Ｖａとした請求項１に記載のアンテナ装置。
【請求項４】
前記第１のインダクタと前記アンテナとの間に第３のインダクタを接続した請求項１〜３のいずれかに記載のアンテナ装置。
【請求項５】
放送電波を受信するアンテナと、
このアンテナに接続されたアンテナ回路と、
このアンテナ回路の出力を受信する受信部とを備え、
前記アンテナ回路は、
アンテナに接続される第１のインダクタと、
第１のインダクタに直列に接続される第２のインダクタと、
前記第１のインダクタに並列に接続され、選択的にＯＮ／ＯＦＦされる第１のスイッチング素子と、
前記第２のインダクタに並列に接続され、選択的にＯＮ／ＯＦＦされる第２のスイッチング素子と、
前記受信部からの信号により前記第１および第２のスイッチング素子をそれぞれ独立にＯＮ／ＯＦＦするバイアス手段とを有する放送受信装置。
【請求項６】
前記アンテナは、放送信号の受信用アンテナである請求項５に記載の放送受信装置。
【請求項７】
前記スイッチング素子はダイオードにより構成され、
前記バイアス手段は、前記ダイオードのアノード側に常時電圧Ｖａを印加するとともに、前記ダイオードのカソード側に選択的に電圧Ｖｂまたは接地電位を印加し、Ｖｂ＞Ｖａとした請求項５に記載の放送受信装置。
【請求項８】
前記第１のインダクタと前記アンテナとの間に第３のインダクタを接続した請求項５、６または７に記載の放送受信装置。
【請求項９】
放送電波を受信するアンテナと、
このアンテナに接続されたアンテナ回路と、
このアンテナ回路の出力を受信する受信部と、
通信用の電波を送受信するアンテナと、
通信用の送受信を行う通信部とを備え、
前記アンテナ回路は、
アンテナに接続される第１のインダクタと、
第１のインダクタに直列に接続される第２のインダクタと、
前記第１のインダクタに並列に接続され、選択的にＯＮ／ＯＦＦされる第１のスイッチング素子と、
前記第２のインダクタに並列に接続され、選択的にＯＮ／ＯＦＦされる第２のスイッチング素子と、
前記受信部からの信号により前記第１および第２のスイッチング素子をそれぞれ独立にＯＮ／ＯＦＦするバイアス手段とを有し、
前記スイッチング素子はダイオードにより構成され、
前記バイアス手段は、前記ダイオードのアノード側に常時電圧Ｖａを印加するとともに、前記ダイオードのカソード側に選択的に電圧Ｖｂまたは接地電位を印加し、Ｖｂ＞Ｖａとした複合無線装置。
【発明の詳細な説明】
【技術分野】
【０００１】
本発明は、受信周波数可変のアンテナ装置ならびにこれを用いた放送受信装置および複合無線装置に関する。
【背景技術】
【０００２】
地上波デジタル放送、地上デジタルラジオ放送（３セグ）、ＭｅｄｉａＦＬＯなどの無線システムは８００ＭＨｚ以下の比較的低い周波数を利用している。これらの無線システムに対応した受信装置のアンテナには、良好な受信特性を得るためにホイップアンテナが用いられる。
【０００３】
しかし、デザインの多様性やコストの観点から、ホイップアンテナのような外部アンテナではなくアンテナを内蔵化することも求められている。その場合、アンテナの小形化に伴い周波数特性は狭帯域となり、一定水準において所望の周波数帯域の受信特性の条件を満足することが困難となっている。
【０００４】
この問題の解決手段として、ＦＭ、ＶＨＦ、ＵＨＦ、地上波デジタル放送などの放送帯で使用される小型で広帯域のアンテナに関し、同調周波数をバリキャップダイオードで切替えることにより所望の周波数帯域を満足する手法が提案されている（特許文献１参照）。
【０００５】
また、受信周波数を可変する技術として、ＰＩＮダイオードとそれと並列に接続されたインダクタとを組み合わせた技術が提案されている（特許文献２参照）。この周波数の可変制御は、アンテナ切換ダイバーシチを搭載した無線機において、複数のアンテナにおける受信電力の強度によってアンテナ切換回路を制御してアンテナを選択する際に、非選択アンテナのアンテナ整合回路の共振周波数を受信周波数からずらすためのものである。
【先行技術文献】
【特許文献】
【０００６】
【特許文献１】特開２００８−１１３２３３号公報
【特許文献２】特開２００１−０５７５２９号公報
【発明の概要】
【発明が解決しようとする課題】
【０００７】
上記特許文献１に記載のようなバリキャップダイオードによる周波数の切替え手法では、アンテナ直下に１００ｎＨ（直流抵抗３Ω）程度のインダクタを設け周波数を低くし、バリキャップダイオードの容量値制御で周波数を高域へ調整する。そのため、原理上、特に高い周波数において狭帯域になり、インダクタによる損失も大きい。また、狭帯域なため、ほぼ１チャンネルごとの周波数切替えが必要となる。このとき、バリキャップダイオード素子ごとの容量値のばらつきが問題となる。チャンネルごとの切替のため、少し容量が変わっただけでも最適制御設定からずれてしまい、そのときの損失は大きくなってしまう。同様に、狭帯域特性によりアンテナ近傍の伝搬環境の変化（人体の影響等）に対する劣化が大きくなる。
【０００８】
上記特許文献２に記載の技術を利用すれば、ＰＩＮダイオードのＯＮ／ＯＦＦで高周波信号の経路を変化させ、アンテナの受信周波数を変化させることができる。すなわち、ＰＩＮダイオードがＯＮのとき高い周波数設定となり、このとき、インダクタは介さないので損失は小さく抑えられる。しかし、ダイオード１つの構成では前述のような低い周波数システムの所望帯域全てを満足することが出来ない。
【０００９】
本発明はこのような背景においてなされたものであり、バリキャップダイオードのような容量値のばらつきの影響が少なく、かつ、インダクタによる損失も低減できる周波数可変アンテナを実現するアンテナ装置、これを用いた受信装置および複合無線装置を提案するものである。
【課題を解決するための手段】
【００１０】
本発明によるアンテナ装置は、アンテナに接続される第１のインダクタと、第１のインダクタに直列に接続される第２のインダクタと、前記第１のインダクタに並列に接続され、選択的にＯＮ／ＯＦＦされる第１のスイッチング素子と、前記第２のインダクタに並列に接続され、選択的にＯＮ／ＯＦＦされる第２のスイッチング素子と、外部からの信号により前記第１および第２のスイッチング素子をそれぞれ独立に制御するバイアス手段とを備えたものである。
【００１１】
前記第１および第２のスイッチング素子の導通制御により、前記第１および第２のインダクタのインダクタンスの組み合わせが４通り得られ、それにより、広範囲にわたるアンテナ装置の周波数帯域の切替えが行える。
【００１２】
前記アンテナは、例えば、放送信号の受信用アンテナである。
【００１３】
一実施の態様として、前記スイッチング素子はダイオードにより構成され、前記バイアス手段は、前記ダイオードのアノード側に常時電圧Ｖａを印加するとともに、前記ダイオードのカソード側に選択的に電圧Ｖｂまたは接地電位を印加し、Ｖｂ＞Ｖａとする。
【００１４】
本発明による放送受信装置は、放送電波を受信するアンテナと、このアンテナに接続されたアンテナ回路と、このアンテナ回路の出力を受信する受信部とを備え、前記アンテナ回路は、アンテナに接続される第１のインダクタと、第１のインダクタに直列に接続される第２のインダクタと、前記第１のインダクタに並列に接続され、選択的にＯＮ／ＯＦＦされる第１のスイッチング素子と、前記第２のインダクタに並列に接続され、選択的にＯＮ／ＯＦＦされる第２のスイッチング素子と、前記受信部からの信号により前記第１および第２のスイッチング素子をそれぞれ独立にＯＮ／ＯＦＦするバイアス手段とを有する。
【００１５】
本発明による複合無線装置は、放送電波を受信するアンテナと、このアンテナに接続されたアンテナ回路と、このアンテナ回路の出力を受信する受信部と、通信用の電波を送受信するアンテナと、通信用の送受信を行う通信部とを備える。前記アンテナ回路は、アンテナに接続される第１のインダクタと、第１のインダクタに直列に接続される第２のインダクタと、前記第１のインダクタに並列に接続され、選択的にＯＮ／ＯＦＦされる第１のスイッチング素子と、前記第２のインダクタに並列に接続され、選択的にＯＮ／ＯＦＦされる第２のスイッチング素子と、前記受信部からの信号により前記第１および第２のスイッチング素子をそれぞれ独立にＯＮ／ＯＦＦするバイアス手段とを有し、前記スイッチング素子はダイオードにより構成される。前記バイアス手段は、前記ダイオードのアノード側に常時電圧Ｖａを印加するとともに、前記ダイオードのカソード側に選択的に電圧Ｖｂまたは接地電位を印加し、Ｖｂ＞Ｖａとする。
【発明の効果】
【００１６】
本発明によれば、バリキャップダイオードのような容量値のばらつきの影響が少なく、インダクタによる損失も低減できる周波数可変アンテナを提供することができる。
【００１７】
また、第１および第２のインダクタを直列に接続するとともに、各インダクタの両端にスイッチング素子を接続してその導通状態を独立に制御することにより、少なくとも４つの状態を切り替えて、広い周波数範囲にわたる周波数の切替えが可能になる。その１状態でカバーできる周波数範囲が広いので、アンテナ近傍の伝搬環境の変化（人体の影響等）に対する劣化を比較的小さく出来る。
【図面の簡単な説明】
【００１８】
【図１】本発明の実施の形態に係る携帯端末装置の受信装置の帯域切替え回路の簡略図（高周波部分）である。
【図２】図１に示した受信装置の帯域切替え回路のより具体的な回路構成を示した回路図である。
【図３】図２の受信装置のアンテナ性能指標であるＶＳＷＲ特性を表した模式図である。
【図４】図１，図２の受信装置の動作の説明図である。
【図５】図１のアンテナ回路を用いた受信装置を備えた携帯端末装置の概略構成である。
【図６】本発明の複合無線装置としての通信端末の概略ハードウェア構成を示すブロック図である。
【発明を実施するための形態】
【００１９】
以下、本発明の好適な実施の形態について図面を参照しながら詳細に説明する。
【００２０】
図１に、本実施の形態に係る携帯端末装置の受信装置の帯域切替え回路の簡略図（高周波部分）を示す。この受信装置は、携帯端末用地上波デジタル放送（いわゆるワンセグ）の受信装置を一例として説明する。
【００２１】
本発明のアンテナ装置としてのアンテナ回路２０は、放送電波を受信する受信用アンテナ１に接続される第１のインダクタであるインダクタ３と、このインダクタ３に直列に接続される第２のインダクタであるインダクタ４と、インダクタ３に並列に接続され、選択的にＯＮ／ＯＦＦ（導通または遮断）される第１のスイッチング素子であるＰＩＮダイオード５ａと、第２のインダクタに並列に接続され、選択的にＯＮ／ＯＦＦされる第２のスイッチング素子であるＰＩＮダイオード５ｂとを有する。図示の例では、インダクタ３とアンテナ１の間に他のインダクタ２を介挿している。アンテナ回路２０は、さらに、インダクタ６およびコンデンサ７を有する。
【００２２】
受信用アンテナ１は、これに対して順次直列に接続されたインダクタ２、インダクタ３およびインダクタ４を介して、受信部８に接続される。インダクタ３には、ＰＩＮダイオード５ａがそのアノードをアンテナ側に向けて、並列接続される。インダクタ４には、ＰＩＮダイオード５ｂがそのアノードをアンテナ側に向けて、並列接続される。インダクタ４と受信部８との中間点と接地１４ｃとの間にはインダクタ６が接続される。同じく、同中間点と接地１４ｄとの間にはコンデンサ７が接続される。ＰＩＮダイオード５ａ、５ｂは、スイッチング素子として機能し、後述するように、そのＯＮ／ＯＦＦがそれぞれ独立に制御される。インダクタ６は、アンテナ装置と受信部８との間のインピーダンスを制御するためのものである。コンデンサ７は、高い周波数（後述するＧＰＩＯ：ＬＬ）におけるＶＳＷＲ特性を広帯域にし、さらなるアンテナ特性向上を図るために設けられた素子であるが、本発明において必須の要素ではない。
【００２３】
ＰＩＮダイオード５ａ、５ｂに対して、後述するように、外部からの信号によりそれらをそれぞれ独立に制御するバイアス手段が設けられる。
【００２４】
図２に、図１に示した受信装置の帯域切替え回路のより具体的な回路構成を示す。図１に示した要素と同様の要素には同じ参照符号を付して、重複した説明は省略する。
【００２５】
帯域切替え回路は、高周波信号部分と制御信号部分に分けられる。
【００２６】
高周波信号部分は、ＰＩＮダイオード５ａ，５ｂ、直流成分を除去するコンデンサ９ａ，９ｂ，９ｃ，９ｄ，９ｅ、インピーダンスを可変させるインダクタ２，３，４，６と、コンデンサ７で構成される。
【００２７】
アンテナ１から入った高周波信号は、インダクタ２およびコンデンサ９ａを介して、インダクタ３またはＰＩＮダイオード５ａを通り、さらにインダクタ４またはＰＩＮダイオード５ｂを通る経路を通り、コンデンサ９ｅを介して受信部８に入力される。
【００２８】
制御信号部分は、高周波信号を除去するチョークコイル１０ａ，１０ｂ，１０ｃ，１０ｄ、電流を制限する抵抗１１ａ，１１ｂ，１２ａ，１２ｂ、および、制御電圧部１３ａ，１３ｂで構成される。
【００２９】
帯域切替えは、２つのダイオードの状態（ＯＮ／ＯＦＦ）の切替えによって実現する。
【００３０】
ＰＩＮダイオード５ａのＯＮ／ＯＦＦは、制御電圧部１３ａと１３ｂによる電圧値に基づく当該ダイオードに対するバイアスを、受信部８のＧＰＩＯ（General Purpose Input/Output）信号１５のＨ／Ｌ制御で変化させることによって切替えられる。バイアス手段は、制御電圧部１３ａ，１３ｂおよびＧＰＩＯ信号１４，１５を含む。
【００３１】
そのために、ＰＩＮダイオード５ａのアノード側（アンテナ１側）には、ＧＰＩＯ信号１５のＨ／Ｌに関わらず、制御電圧部１３ａにより常に正の電圧Ｖａが印加されている。ここで、ＧＰＩＯ信号１５がＬの時は、制御電圧部１３ｂの電圧ＶｂはＰＩＮダイオード５ａに印加されず、ＰＩＮダイオード５ａのカソード側（受信部８側）の電圧は接地電位（０Ｖ）になる。このとき、ＰＩＮダイオード５ａには順方向電圧が印加され、ＰＩＮダイオード５ａの状態はＯＮとなる。ＰＩＮダイオード５ａは、自身がＯＮのときは低インピーダンスとなるため、高周波信号はインダクタ３側ではなくＰＩＮダイオード５ａの方に流れる。すなわち、高周波信号はインダクタ３を通らないので、ＰＩＮダイオード５ａがＯＦＦのときに比べ、アンテナ装置は高い周波数で動作する。
【００３２】
また、ＧＰＩＯ信号１５がＨ（Ｈｉｇｈインピーダンス）の時は、ＰＩＮダイオード５ａのカソード側（受信部８側）に、制御電圧部１３ｂにより正の電圧Ｖｂが印加される。これによりＰＩＮダイオード５ａの状態はＯＦＦとなる。その結果、ＰＩＮダイオード５ａは高インピーダンスとなるため、高周波信号はインダクタ３の方に流れる。このように高周波信号をインダクタ３に通すことによって、インピーダンスが可変でき、帯域切替え回路は、アンテナ装置を周波数を低い状態に変化させることができる。なお、このとき、後述するように好ましくは歪対策のため、ＰＩＮダイオード５ａには逆方向電圧が印加されるようにする。
【００３３】
ＰＩＮダイオード５ｂのＯＮ／ＯＦＦも、制御電圧部１３ａと１３ｂによる電圧値Ｖａ，Ｖｂに基づくバイアスを、受信部８のＧＰＩＯ信号１４のＨ／Ｌ制御で変化させることによって、同様に切替えられる。
【００３４】
図３に、図２の受信装置のアンテナ性能指標であるＶＳＷＲ特性を表した模式図を示す。この図の縦軸は電圧定在波比（ＶＳＷＲ）、横軸は周波数を表している。また、各波形の下部に示したＨとＬを組み合わせた記号は、その波形をもたらすＧＰＩＯ信号１４，１５の出力の組み合わせを示している。この図から分かるように、ＰＩＮダイオード５ａによる周波数の２状態切替えと、ＰＩＮダイオード５ｂによる周波数の２状態切替えを組み合わせることにより、周波数の４状態の切替えを実現し、ワンセグメント放送すべての周波数帯域を満たす仕組みとなっている。
【００３５】
具体的な動作としては、図４に示すように、ＧＰＩＯ信号１５（ダイオード５ａ）およびＧＰＩＯ信号１４（ダイオード５ｂ）によるＧＰＩＯ制御により、両信号がＨ（ＯＦＦ）／Ｈ（ＯＦＦ）のとき一番低い周波数帯域設定となり、続いてＨ（ＯＦＦ）／Ｌ（ＯＮ）、Ｌ（ＯＮ）／Ｈ（ＯＦＦ）と順に高い周波数帯域設定となり、Ｌ（ＯＮ）／Ｌ（ＯＮ）のとき一番高い周波数帯域設定となる。また、それぞれの状態でのインダクタンスは、順次、Ｌ１＋Ｌ２＋Ｌ３、Ｌ１＋Ｌ２、Ｌ１＋Ｌ３、Ｌ１となる。（インダクタ２，３，４のインダクタンスをそれぞれＬ１，Ｌ２，Ｌ３とし、Ｌ２とＬ３は異ならせる。この例ではＬ２＞Ｌ３。）なお、図示したＣＨ設定は、一例を示したものであり、実際のアンテナ構成や携帯端末構成に応じて調整されるものである。
【００３６】
図５に、図１のアンテナ回路２０を用いた受信装置を備えた携帯端末装置の概略構成を示す。
【００３７】
受信部８は、チューナ部８１、その出力信号を復調する復調部(Demodulator）８３、信号処理部８４、画像処理部８５、音声処理部８６を備えている。チューナ部８１はアンテナ１で受信した高周波信号を受け、所望のチャンネルの周波数帯域の信号を抽出する。復調部８３は、チューナ部８１の出力信号を増幅する。復調部(Demodulator）８３は、チューナ部８１の出力信号を復調する。信号処理部８４は、復調部８３の出力から画像データおよび音声データを分離し、復号等の必要な処理を行う。画像処理部８５は、画像データに基づいて画像処理を行いディスプレイ２２へ出力する。音声処理部８６は、音声データに基づいて音声処理を行い、スピーカ２３へ出力する。チャンネル選択部２５はユーザの操作に応じてチャンネルの切替え制御信号を受けて、ＧＰＩＯ信号をアンテナ回路２０へ出力する。
【００３８】
図６は、本発明の複合無線装置としての通信端末１００の概略ハードウェア構成を示すブロック図である。通信端末１００としてここでは携帯電話端末を例として示している。
【００３９】
制御部１０１は、中央処理装置（ＣＰＵ）などを含み、バス１２０を介して各部を制御する。通信回路（通信部）１０２は、携帯電話の基地局に対して送受信を行うアンテナ１０３を介して電波による音声やデータの送受信を行う部位である。表示部１０４は、ＬＣＤや有機ＥＬディスプレイ等の表示デバイス（図５のディスプレイ２２に相当）により構成され、ユーザに対して表示画面上で視覚的な情報を提示する部位である。操作部１０５は、テンキーや各種制御キー等を含み、制御部１０１に対してユーザの指示やデータを入力するための部位である。図５のチャンネル選択部２５は操作部１０５に相当する。記憶部１０６は、制御部１０１が実行するオペレーティングシステムや各種アプリケーションプログラム等のプログラムやデータを格納する不揮発性記憶領域（ＲＯＭ、フラッシュメモリ等）、データの一時保存領域や作業領域を提供する揮発性記憶領域（ＲＡＭ）、等を含む。音声処理部１０７は、受話音声、動画ファイルの音声、音楽データの音声を出力するスピーカ（イヤレシーバを含む）１０８、および送話音声等を集音するマイクロホン１０９が接続される。スピーカ１０８は図５のスピーカ２３に想到する。ＴＶ放送受信部１１０は、アンテナ１１１（図１，図５のアンテナ１に相当）を介して電波によるテレビ放送（データ放送を含む）を受信し、再生する部位であり、図５に示した受信装置に相当する。本実施の形態では放送として地上波デジタル放送を想定している。
【００４０】
通信回路１０２とＴＶ放送受信部１１０の同時使用時に、通信回路１０２からのセルラー送信信号がＴＶ放送受信部１１０のアンテナ１１１に回り込んでＰＩＮダイオードで検波されることがないようにすることが好ましい。そこで、図２の回路において、制御電圧部１３ａの電圧Ｖａと、制御電圧部１３ｂの電圧Ｖｂの関係をＶａ＜Ｖｂとする。本例のＶａ、Ｖｂの値は例えばＶａ＝１．５Ｖ、Ｖｂ＝２．６Ｖである。Ｖｂ＝ＶａとしてもＰＩＮダイオードをＯＦＦすることができるが、この例では、より大きな逆バイアスとしている。これにより、各ＰＩＮダイオードのＯＦＦ時に、通信回路１０２からのセルラー送信信号がＰＩＮダイオードに導通することにより当該ＰＩＮダイオードを完全なＯＦＦ状態に維持できなくなる、という不具合が回避される。
【００４１】
本実施の形態は、上述のようにバリキャップダイオードではなく複数のＰＩＮダイオード（またはＭＥＭＳスイッチ等）とＰＩＮダイオードと並列に接続されたインダクタを用いた手法である。
【００４２】
この構成によれば、バリキャップダイオードを用いないので容量値のばらつきの影響がなく、インダクタによる損失も低減できる。
【００４３】
周波数の切替え制御はＰＩＮダイオードのＯＮ／ＯＦＦのみの制御なので、素子ばらつきによるアンテナ性能への影響は小さくできる。
【００４４】
ＰＩＮダイオードがＯＮのとき一番高い周波数設定となるが、このとき、インダクタは介さないので損失は小さく抑えられる。
【００４５】
バリキャップダイオードを用いた手法に比べ切替えの１状態でカバーできる周波数範囲が広いため、アンテナ近傍の伝搬環境の変化（人体の影響等）に対する劣化を比較的小さく出来る。
【００４６】
周波数調整のためアンテナ直下にインダクタＬ１を入れる場合も大きな値のものは必要ない。状態にあわせたインダクタの切替を行うことにより損失を抑えられ、比較的広帯域になる。
【００４７】
本発明は、携帯端末に搭載される比較的低周波の無線アプリケーション（地上波デジタル放送の周波数およびそれ以下の周波数）での利用に適用して好適である。
【００４８】
以上、本発明の好適な実施の形態について説明したが、上記で言及した以外にも種々の変形、変更を行うことが可能である。
【００４９】
例えば、アンテナ１のみでインダクタンス値が稼げる場合、整合が取れる場合はインダクタ２または６が存在しない構成、あるいはインダクタ２，６の両方が存在しない構成であってもよい。
【００５０】
また、上記では一例として４値切替えの回路構成を挙げたが、４値を越える切替えとなる回路構成としてもよい。
【００５１】
切替え素子をＰＩＮダイオードとしたが、ＦＥＴ（Field Effect Transistor：電界効果トランジスタ）やＭＥＭＳ（Micro Electro Mechanical Systems）等のスイッチング機能を持つ素子などを用いる構成としてもよい。
【符号の説明】
【００５２】
１…受信用アンテナ、２，３，４，６…インダクタ、５ａ，５ｂ…ダイオード、７…コンデンサ、８…受信部、９ａ，９ｂ，９ｃ，９ｄ，９ｅ…コンデンサ、１０ａ，１０ｂ，１０ｃ，１０ｄ…チョークコイル、１１ａ，１１ｂ，１２ａ，１２ｂ…抵抗、１３ａ，１３ｂ…制御電圧部、１４ｃ，１４ｄ…接地、２０…アンテナ回路、２２…ディスプレイ、２３…スピーカ、２５…チャンネル選択部、８１…チューナ部、８３…復調部、８４…信号処理部、８５…画像処理部、８６…音声処理部、１００…通信端末、１０１…制御部、１０２…通信回路、１０３…アンテナ、１０４…表示部、１０５…操作部、１０６…記憶部、１０７…音声処理部、１０８…スピーカ、１０９…マイクロホン、１１０…放送受信部、１１１…アンテナ、１２０…バス
【図１】
2011035505.tif 000003
【図２】
2011035505.tif 000004
【図３】
2011035505.tif 000005
【図４】
2011035505.tif 000006
【図５】
2011035505.tif 000007
【図６】
2011035505.tif 000008